【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
一方向に並ぶ複数の圧力検出素子からなる複数の素子列が前記一方向に直交する方向に配列されたセンサ部と、
前記一方向が生体の体表面下の動脈の伸びる方向と交差する状態で前記体表面に前記センサ部を押圧する押圧部と、
前記押圧部の押圧方向に直交する２つの軸であって前記一方向に伸びる第一の軸と前記一方向と直交する第二の軸の各々の周りに前記センサ部を回転させる回転駆動部と、
前記センサ部の前記第一の軸の周りの第一の回転角が第一の値に制御され、かつ、前記センサ部の前記第二の軸の周りの第二の回転角が第二の値に制御され、かつ、前記センサ部が前記押圧部によって前記体表面に押圧された状態で、前記圧力検出素子により検出される圧力信号を記憶媒体に記憶する記憶制御部と、
前記押圧部によって前記センサ部の前記体表面への押圧力を増加させていく増加過程で前記圧力検出素子により検出される圧力信号に基づいて前記第一の値を決定し、前記回転駆動部によって前記第一の回転角を前記決定した第一の値に制御し、当該制御がなされた状態から更に前記押圧力を増加させた状態で前記圧力検出素子により検出される圧力信号の直流成分に基づいて前記第二の値を決定する回転角度決定部と、を備える脈波検出装置。
【請求項２】
請求項１記載の脈波検出装置であって、
前記回転角度決定部は、前記複数の素子列の各々に含まれる複数の圧力検出素子により検出される圧力信号に基づいて前記第一の値を決定する脈波検出装置。
【請求項３】
請求項１又は２記載の脈波検出装置であって、
前記回転角度決定部は、前記複数の素子列の中から選択した１つの素子列である選択素子列に含まれる複数の圧力検出素子により検出される圧力信号の直流成分に基づいて前記第二の値を決定する脈波検出装置。
【請求項４】
請求項３記載の脈波検出装置であって、
前記回転角度決定部は、前記増加過程で、前記素子列の各圧力検出素子により検出される圧力信号群に基づいて当該素子列に含まれる圧力検出素子の中から動脈上に位置する１つの素子を注目素子として決定する処理を順次行い、前記複数の素子列のうち、順次決定される前記注目素子により検出された圧力信号の交流成分の信号レベルが最大値に到達して以降に前記信号レベルが前記最大値に対して定められる前記最大値よりも小さい閾値に到達した時点、における前記増加過程の開始時点からの経過時間が最も短い素子列を前記選択素子列として選択する脈波検出装置。
【請求項５】
請求項４記載の脈波検出装置であって、
前記回転角度決定部は、前記選択素子列の前記注目素子により検出された圧力信号の交流成分の信号レベルが前記閾値に到達した前記時点での前記押圧力で前記センサ部を前記体表面に押圧した状態で前記第二の値を決定する脈波検出装置。
【請求項６】
請求項３記載の脈波検出装置であって、
前記回転角度決定部は、前記増加過程で、前記選択素子列の各圧力検出素子により検出される圧力信号群に基づいて当該選択素子列に含まれる圧力検出素子の中から動脈上に位置する１つの素子を注目素子として決定する処理を順次行い、前記順次決定される注目素子により検出された圧力信号の交流成分の信号レベルが最大値に到達した時点での前記押圧力よりも高い押圧力で前記センサ部を前記体表面に押圧した状態で前記第二の値を決定する脈波検出装置。
【請求項７】
請求項４〜６のいずれか１項記載の脈波検出装置であって、
前記回転角度決定部は、前記増加過程のうちの前記順次決定される注目素子により検出された圧力信号の交流成分の信号レベルが最大値に到達するまでの期間に前記第一の値を決定する脈波検出装置。
【請求項８】
請求項３〜７のいずれか１項記載の脈波検出装置であって、
前記回転角度決定部は、前記センサ部を前記体表面に押圧した状態で、前記第二の回転角を任意の値に制御し、前記第二の回転角が前記任意の値に制御された状態で前記選択素子列に含まれる前記複数の圧力検出素子により検出される圧力信号の直流成分からなる直流成分信号群を取得する処理を、前記第二の回転角の値を順次変更して複数回行い、複数回の前記処理によって取得した複数の前記直流成分信号群のうち、信号レベルのバラツキが最小となる直流成分信号群が得られた前記第二の回転角の値を前記第二の値として決定する脈波検出装置。
【請求項９】
請求項８記載の脈波検出装置であって、
前記回転角度決定部は、前記処理で取得した直流成分信号群に基づいて、前記第二の回転角の取り得る全ての値のうち前記第二の値の候補から除外する値を決定し、当該除外する値については前記処理を省略する脈波検出装置。
【請求項１０】
請求項８又は９記載の脈波検出装置であって、
前記回転角度決定部は、前記処理において、前記第二の回転角を任意の値に制御してから予め決められた時間を待機し、前記時間の経過後に、前記選択素子列に含まれる前記複数の圧力検出素子により検出される圧力信号の直流成分からなる直流成分信号群を取得する脈波検出装置。
【請求項１１】
請求項１〜９のいずれか１項記載の脈波検出装置と、
前記記憶媒体に記憶された圧力信号に基づいて生体情報を算出する生体情報算出部と、を備える生体情報測定装置。
【請求項１２】
一方向に並ぶ複数の圧力検出素子からなる複数の素子列を有し、前記複数の素子列が前記一方向に直交する方向に配列されたセンサ部と、前記一方向が生体の体表面下の動脈の伸びる方向と交差する状態で前記体表面に前記センサ部を押圧する押圧部と、前記押圧部の押圧方向に直交する２つの軸であって前記一方向に伸びる第一の軸と前記一方向と直交する第二の軸の各々の周りに前記センサ部を回転させる回転駆動部と、を有する脈波検出装置の制御方法であって、
前記センサ部の前記第一の軸の周りの第一の回転角が第一の値に制御され、かつ、前記センサ部の前記第二の軸の周りの第二の回転角が第二の値に制御され、かつ、前記センサ部が前記押圧部によって前記体表面に押圧された状態で、前記圧力検出素子により検出される圧力信号を記憶媒体に記憶する記憶制御ステップと、
前記押圧部によって前記センサ部の前記体表面への押圧力を増加させていき、当該押圧力の増加過程で前記圧力検出素子により検出される圧力信号に基づいて前記第一の値を決定し、前記回転駆動部によって前記第一の回転角を前記決定した第一の値に制御し、当該制御がなされた状態から更に前記押圧力を増加させた状態で前記圧力検出素子により検出される圧力信号の直流成分に基づいて前記第二の値を決定する回転角度決定ステップと、を備える脈波検出装置の制御方法。
【請求項１３】
一方向に並ぶ複数の圧力検出素子からなる複数の素子列を有し、前記複数の素子列が前記一方向に直交する方向に配列されたセンサ部と、前記一方向が生体の体表面下の動脈の伸びる方向と交差する状態で前記体表面に前記センサ部を押圧する押圧部と、前記押圧部の押圧方向に直交する２つの軸であって前記一方向に伸びる第一の軸と前記一方向と直交する第二の軸の各々の周りに前記センサ部を回転させる回転駆動部と、を有する脈波検出装置の制御プログラムであって、
前記センサ部の前記第一の軸の周りの第一の回転角が第一の値に制御され、かつ、前記センサ部の前記第二の軸の周りの第二の回転角が第二の値に制御され、かつ、前記センサ部が前記押圧部によって前記体表面に押圧された状態で、前記圧力検出素子により検出される圧力信号を記憶媒体に記憶する記憶制御ステップと、
前記押圧部によって前記センサ部の前記体表面への押圧力を増加させていき、当該押圧力の増加過程で前記圧力検出素子により検出される圧力信号に基づいて前記第一の値を決定し、前記回転駆動部によって前記第一の回転角を前記決定した第一の値に制御し、当該制御がなされた状態から更に前記押圧力を増加させた状態で前記圧力検出素子により検出される圧力信号の直流成分に基づいて前記第二の値を決定する回転角度決定ステップと、をコンピュータに実行させるための制御プログラム。
【手続補正２】
【補正対象書類名】明細書
【補正対象項目名】０１７５
【補正方法】変更
【補正の内容】
【０１７５】
本実施形態の生体情報測定装置によれば、最適ロール角を決定するために必要な押圧力を増加させる過程において最適ピッチ角を決定することができる。このため、最適ピッチ角と最適ロール角の決定を高速に行うことができ、血圧測定開始までの時間を短くすることができる。
【手続補正３】
【補正対象書類名】明細書
【補正対象項目名】０１９４
【補正方法】変更
【補正の内容】
【０１９４】
次に、制御部１２は、選択素子列の各圧力検出素子のうちの上述した第一の圧力検出素子〜第三の圧力検出素子によりそれぞれ検出された圧力信号のＤＣレベルを取得し、取得した３つのＤＣレベルに基づいて、ステップＳ５３の処理と同様に平坦度を算出し、現在制御中のロール角と対応付けてＲＡＭに記憶する（ステップＳ９２）。